(57)【要約】【課題】光学媒体にデータを記録するための装置及び方法を提供する。【解決手段】記録動作の間に記録される各データセグメントのデータセグメントＩＤを探知し、記録動作が中断された場合、記録動作が中断される当時光学媒体に記録された最後のデータセグメントのデータセグメントＩＤを決定する記録制御部及び光学媒体からデータを再生し、再生したデータと関連したデータセグメントＩＤを決定し、記録制御部に応答して光学媒体にデータを記録する光学媒体再生／記録部を備え、記録動作の中断に続いて、記録動作が中断される当時の光学媒体に記録されたデータセグメントＩＤによる最後のデータセグメントを調べるために、再生／記録部をして光学媒体からデータを再生させ、最後のデータセグメント位置で光学媒体にデータセグメントの記録を再開する。【選択図】図３
2006164502.tif 000002
【特許請求の範囲】
【請求項１】
光学媒体にデータを記録するシステムにおいて、
光学媒体にデータセグメントの記録が物理的アドレスによって配列されるように制御し、前記媒体に記録される各データセグメントは、データセグメントＩＤ及び複数のデータ成分を備え、記録動作の間に、記録される各データセグメントのデータセグメントＩＤを探知し、記録動作が中断された場合、前記記録動作が中断される当時の前記光学媒体に記録された最後のデータセグメントのデータセグメントＩＤを決定する記録制御部と、
前記光学媒体からデータを再生し、前記再生したデータと関連したデータセグメントＩＤを決定し、前記記録制御部に応答して前記光学媒体にデータを記録する光学媒体再生／記録部と、を備え、
前記記録制御部は、
記録動作の中断に続いて、前記記録動作が中断される当時の前記光学媒体に記録された前記データセグメントＩＤによる最後のデータセグメントを調べるために、前記再生／記録部をして前記光学媒体からデータを再生させ、前記最後のデータセグメント位置で前記光学媒体にデータセグメントの記録を再開することを特徴とする光学媒体にデータを記録するシステム。
【請求項２】
前記データセグメントは、データフレームを備えることを特徴とする請求項１に記載の光学媒体にデータを記録するシステム。
【請求項３】
前記データセグメントは、データセクタを備えることを特徴とする請求項１に記載の光学媒体にデータを記録するシステム。
【請求項４】
前記データ成分は、前記データセグメントのデータビットを備えることを特徴とする請求項１に記載の光学媒体にデータを記録するシステム。
【請求項５】
前記記録動作が中断される当時の前記データセグメントＩＤを保存するためのレジスタをさらに備えることを特徴とする請求項１に記載の光学媒体にデータを記録するシステム。
【請求項６】
前記光学媒体に記録された最後のデータセグメントを調べるために、前記レジスタに保存された前記データセグメントＩＤと、前記再生／記録部によって前記光学媒体から再生されるデータセグメントＩＤとを比較するための比較器をさらに備えることを特徴とする請求項１に記載の光学媒体にデータを記録するシステム。
【請求項７】
前記記録制御部は、
記録動作の間に、現在のデータセグメントＩＤに対応して記録される前記データセグメントのデータ成分の数を表すデータセグメントレーテンシ値を探知し、
前記記録動作が中断されるとき、前記記録動作が中断される当時の前記光学媒体に記録される最後のデータ成分のデータセグメントレーテンシ値を決定することを特徴とする請求項１に記載の光学媒体にデータを記録するシステム。
【請求項８】
前記記録制御部は、
前記記録動作の中断に続いて、前記最後のデータセグメントのデータセグメントＩＤに関連した前記データセグメントレーテンシ値に基づいて、前記光学媒体にデータセグメントの記録を再開することを特徴とする請求項７に記載の光学媒体にデータを記録するシステム。
【請求項９】
前記データセグメントレーテンシ値を保存するためのレジスタをさらに備えることを特徴とする請求項７に記載の光学媒体にデータを記録するシステム。
【請求項１０】
前記記録制御部は、
記録動作が行われるとき、記録イネーブル信号をイネーブルし、記録動作が中断されるとき、前記記録イネーブル信号をディセーブルする記録イネーブル信号制御部を備えることを特徴とする請求項１に記載の光学媒体にデータを記録するシステム。
【請求項１１】
前記記録制御部は、
記録動作の間に、記録される各データセグメントの物理的アドレス及び現在の物理的アドレスに対応して記録される前記データセグメントのデータ成分の数を表す物理的アドレスレーテンシ値をさらに探知し、
前記記録動作が中断されるとき、前記記録動作が中断される当時の前記光学媒体に記録される前記最後のデータセグメントの物理的アドレスを決定することを特徴とする請求項１に記載の光学媒体にデータを記録するシステム。
【請求項１２】
前記記録制御部は、
前記記録動作の中断に続いて、前記最後のデータセグメントの物理的アドレスに関連した前記物理的アドレスレーテンシ値に基づいて、前記光学媒体にデータセグメントの記録を再開することを特徴とする請求項１１に記載の光学媒体にデータを記録するシステム。
【請求項１３】
前記記録制御部は、
前記物理的アドレスレーテンシ値を保存するレジスタをさらに備えることを特徴とする請求項１１に記載の光学媒体にデータを記録するシステム。
【請求項１４】
前記記録動作の中断は、非正常的またはインターラプションによって中断されることを特徴とする請求項１に記載の光学媒体にデータを記録するシステム。
【請求項１５】
光学媒体にデータを記録する方法において、
光学媒体に記録される各データセグメントは、データセグメントＩＤ及び複数のデータ成分を備え、物理的アドレスによって配列される前記光学媒体にデータセグメントを記録するステップと、
前記記録される各データセグメントの前記データセグメントＩＤを探知するステップと、
記録動作が中断されるとき、前記記録動作が中断される当時の前記光学媒体に記録された最後のデータセグメントのデータセグメントＩＤを決定するステップと、
前記記録動作の中断に続いて、前記光学媒体からデータを再生し、前記記録動作が中断される当時の前記光学媒体に記録された前記データセグメントＩＤに対応する最後のデータセグメントを調べるために、前記再生されたデータと関連したデータセグメントＩＤを決定するステップと、
最後のデータセグメント位置で前記光学媒体にデータセグメントの記録を再開するステップと、を含むことを特徴とする光学媒体にデータを記録する方法。
【請求項１６】
前記データセグメントは、データフレームを備えることを特徴とする請求項１５に記載の光学媒体にデータを記録する方法。
【請求項１７】
前記データセグメントは、データセクタを備えることを特徴とする請求項１５に記載の光学媒体にデータを記録する方法。
【請求項１８】
前記データ成分は、前記データセグメントのデータビットを備えることを特徴とする請求項１５に記載の光学媒体にデータを記録する方法。
【請求項１９】
前記光学媒体に記録された最後のデータセグメントを調べるために、前記光学媒体に記録された前記最後のデータセグメントのデータセグメントＩＤと、前記光学媒体から再生されるデータセグメントＩＤとを比較するステップをさらに含むことを特徴とする請求項１５に記載の光学媒体にデータを記録する方法。
【請求項２０】
前記記動作の間に、現在のデータセグメントＩＤに対応して記録される前記データセグメントのデータ成分の数を表すデータセグメントレーテンシ値を探知するステップと、
前記記録動作が中断されるとき、前記記録動作が中断される当時の前記光学媒体に記録される最後のデータ成分のデータセグメントレーテンシ値を決定するステップと、をさらに含むことを特徴とする請求項１５に記載の光学媒体にデータを記録する方法。
【請求項２１】
前記記録動作の中断に続いて、前記最後のデータセグメントのデータセグメントＩＤに関連した前記データセグメントレーテンシ値に基づいて、前記光学媒体にデータセグメントの記録を再開するステップをさらに含むことを特徴とする請求項２０に記載の光学媒体にデータを記録する方法。
【請求項２２】
記録動作が行われるとき、記録イネーブル信号がイネーブルされ、記録動作が中断されるとき、前記記録イネーブル信号がディセーブルされることを特徴とする請求項１５に記載の光学媒体にデータを記録する方法。
【請求項２３】
記録動作の間に、記録される各データセグメントの物理的アドレス及び現在の物理的アドレスに対応して記録される前記データセグメントのデータ成分の数を表す物理的アドレスレーテンシ値を探知するステップと、
前記記録動作が中断されるとき、前記記録動作が中断される当時の前記光学媒体に記録される前記最後のデータセグメントの物理的アドレスを決定するステップと、をさらに含むことを特徴とする請求項１５に記載の光学媒体にデータを記録する方法。
【請求項２４】
前記記録動作の中断に続いて、前記最後のデータセグメントの物理的アドレスに関連した前記物理的アドレスレーテンシ値に基づいて、前記光学媒体にデータセグメントの記録を再開するステップをさらに含むことを特徴とする請求項２３に記載の光学媒体にデータを記録する方法。
【発明の詳細な説明】
【技術分野】
【０００１】
本発明は、光学媒体にデータを記録するための装置及び方法に係り、具体的には、光学媒体の記録動作が非正常的に中断された場合、前記媒体の正確な位置で前記記録動作が再開されうる光学媒体にデータを記録するための装置及び方法に関する。
【背景技術】
【０００２】
従来の光学媒体記録装置は、記録動作時に非正常的な中断が発生しうる。例えば、衝撃または外部の力、バッファアンダーラン、モータアンロック及びウォッブルアンロックなどの原因によって非正常的な中断が発生しうる。このように記録動作が中断された場合、それを解除できない場合が発生しうる。
【０００３】
光学媒体は、種々の他の形態、例えば、ＣＤ−Ｒ、ＣＤ−ＲＷ、ＨＤ−ＤＶＤ、ＢＤ−ＤＶＤ、ＤＶＤ−ＲＷ、ＤＶＤ＋ＲＷ及びＤＶＤ−ＲＡＭ（Ｒａｎｄｏｍ Ａｃｃｅｓｓ Ｍｅｍｏｒｙ）などを含む。これらの媒体のタイプによって、媒体にデータを記録するために相異なるプロトコルが使われる。例えば、ＤＶＤ−Ｒ及びＤＶＤ−ＲＷ媒体は、ＬＰＰ（Ｌａｎｄ Ｐｒｅ−ｂｉｔ）記録方式を使用する。ＤＶＤ＋Ｒ及びＤＶＤ＋ＲＷ媒体は、ＡＤＩＰ（Ａｄｄｒｅｓｓ Ｉｎ Ｐｒｅ−Ｇｒｏｏｖｅ）記録方式を使用する。また、ＤＶＤ−ＲＡＭ媒体は、ヘッダ記録方式を使用する。ＬＰＰ、ＡＤＩＰ及びヘッダなどの頭字語は、媒体のタイプに使われる物理的アドレスのタイプを表す。
【０００４】
ＤＶＤ−ＲＷ、ＤＶＤ＋ＲＷ及びＤＶＤ−ＲＡＭのような特定光学媒体形式では、データが媒体に複数回記録が可能である。しかし、ＣＤ−Ｒ、ＤＶＤ−Ｒ及びＤＶＤ＋Ｒのような特定光学媒体形式では、データが媒体の与えられた位置でただ１回記録されうる。このような媒体形式は、ここでは、“ｓｉｎｇｌｅ−ｗｒｉｔｅ”光学媒体として言及される。
【０００５】
ｓｉｎｇｌｅ−ｗｒｉｔｅ媒体の場合において、もし記録動作が非正常的に中断された場合、従来の記録装置は、光学ディスク記録装置の記録動作が中断された正確な位置を調べる場合にのみ、媒体にデータを再記録できた。例えば、前述したＬＰＰ、ＡＤＩＰ及びヘッダなどの記録方式は、記録動作が非正常的に中断された状況で、中断当時の現在データが記録されている媒体の現在の物理的アドレスを保存することを試みる。記録動作の再開時、記録装置は、保存された現在のアドレスを参照し、後続の物理的アドレスでデータ記録を開始する。
しかし、記録動作の再開時、記録される位置の物理的アドレスが正確に回復できない場合、記録装置は、媒体にデータを記録し続けられない。したがって、媒体は、廃棄されざるをえない。
【発明の開示】
【発明が解決しようとする課題】
【０００６】
本発明が解決しようとする技術的課題は、光学媒体上にデータを記録する途中にデータ記録が非正常的に中断される場合に、光学媒体上の物理的アドレスの使用が難しい場合にも、無理なしにデータ記録を再開しうる光学媒体にデータを記録するための装置及び方法を提供することである。
【課題を解決するための手段】
【０００７】
本発明の一実施形態による光学媒体にデータを記録するシステムは、光学媒体にデータセグメントの記録が物理的アドレスによって配列されるように制御し、前記媒体に記録される各データセグメントは、データセグメントＩＤ及び複数のデータ成分を備え、記録動作の間に、記録される各データセグメントのデータセグメントＩＤを探知し、記録動作が中断された場合、前記記録動作が中断される当時の前記光学媒体に記録された最後のデータセグメントのデータセグメントＩＤを決定する記録制御部及び前記光学媒体からデータを再生し、前記再生したデータと関連したデータセグメントＩＤを決定し、前記記録制御部に応答して前記光学媒体にデータを記録する光学媒体再生／記録部を備え、前記記録制御部は、記録動作の中断に続いて、前記記録動作が中断される当時の前記光学媒体に記録された前記データセグメントＩＤによる最後のデータセグメントを調べるために、前記再生／記録部をして前記光学媒体からデータを再生させ、前記最後のデータセグメント位置で前記光学媒体にデータセグメントの記録を再開することを特徴とする。
【０００８】
前記データセグメントは、データフレームを備え、または前記データセグメントは、データセクタを備え、または前記データ成分は、前記データセグメントのデータビットを備えうる。
望ましくは、前記記録動作が中断される当時の前記データセグメントＩＤを保存するためのレジスタをさらに備えることを特徴とする。
【０００９】
また、望ましくは、前記光学媒体に記録された最後のデータセグメントを調べるために、前記レジスタに保存された前記データセグメントＩＤと、前記再生／記録部によって前記光学媒体から再生されるデータセグメントＩＤとを比較するための比較器をさらに備えることを特徴とする。
【００１０】
また望ましくは、前記記録制御部は、記録動作の間に、現在のデータセグメントＩＤに対応して記録される前記データセグメントのデータ成分の数を表すデータセグメントレーテンシ値を探知し、前記記録動作が中断されるとき、前記記録動作が中断される当時の前記光学媒体に記録される前記最後のデータ成分のデータセグメントレーテンシ値を決定する。
【００１１】
また望ましくは、前記記録制御部は、前記記録動作の中断に続いて、前記最後のデータセグメントのデータセグメントＩＤに関連した前記データセグメントレーテンシ値に基づいて、前記光学媒体にデータセグメントの記録を再開する。
一方、前記光学媒体にデータを記録するシステムは、前記データセグメントレーテンシ値を保存するためのレジスタをさらに備えうる。
【００１２】
望ましくは、前記記録制御部は、記録動作が行われる時に記録イネーブル信号をイネーブルし、記録動作が中断される時に前記記録イネーブル信号をディセーブルする記録イネーブル信号制御部を備えうる。
【００１３】
また望ましくは、前記記録制御部は、記録動作の間に、記録される各データセグメントの物理的アドレス及び現在の物理的アドレスに対応して記録される前記データセグメントのデータ成分の数を表す物理的アドレスレーテンシ値をさらに探知し、前記記録動作が中断されるとき、前記記録動作が中断される当時の前記光学媒体に記録される前記最後のデータセグメントの物理的アドレスを決定する。
【００１４】
また、前記記録制御部は、前記記録動作の中断に続いて、前記最後のデータセグメントの物理的アドレスに関連した前記物理的アドレスレーテンシ値に基づいて、前記光学媒体にデータセグメントの記録を再開しうる。
【００１５】
また、前記記録制御部は、前記物理的アドレスレーテンシ値を保存するレジスタをさらに備えうる。
一方、前記記録動作の中断は、非正常的またはインターラプションによって中断されることを特徴とする。
【００１６】
一方、本発明の一実施形態による光学媒体にデータを記録する方法は、光学媒体に記録される各データセグメントはデータセグメントＩＤ及び複数のデータ成分を備え、物理的アドレスによって配列される前記光学媒体にデータセグメントを記録するステップと、前記記録される各データセグメントの前記データセグメントＩＤを探知するステップと、記録動作が中断されるとき、前記記録動作が中断される当時の前記光学媒体に記録された最後のデータセグメントのデータセグメントＩＤを決定するステップと、前記記録動作の中断に続いて、前記光学媒体からデータを再生し、前記記録動作が中断される当時の前記光学媒体に記録された前記データセグメントＩＤに対応する最後のデータセグメントを調べるために、前記再生されたデータと関連したデータセグメントＩＤを決定するステップ及び前記最後のデータセグメント位置で前記光学媒体にデータセグメントの記録を再開するステップと、を含むことを特徴とする。
【００１７】
前記データセグメントは、データフレームを備え、または前記データセグメントは、データセクタを備え、または前記データ成分は、前記データセグメントのデータビットを備えうる。
望ましくは、前記光学媒体に記録された最後のデータセグメントを調べるために、前記光学媒体に記録された前記最後のデータセグメントのデータセグメントＩＤと、前記光学媒体から再生されるデータセグメントＩＤとを比較するステップをさらに含みうる。
【００１８】
また望ましくは、前記記録動作の間に、現在のデータセグメントＩＤに対応して記録される前記データセグメントのデータ成分の数を表すデータセグメントレーテンシ値を探知するステップ及び前記記録動作が中断されるとき、前記記録動作が中断される当時の前記光学媒体に記録される前記最後のデータ成分のデータセグメントレーテンシ値を決定するステップをさらに含みうる。
【００１９】
また望ましくは、前記記録動作の中断に続いて、前記最後のデータセグメントのデータセグメントＩＤに関連した前記データセグメントレーテンシ値に基づいて、前記光学媒体にデータセグメントの記録を再開するステップをさらに含みうる。
一方、記録動作が行われるとき、記録イネーブル信号がイネーブルされ、記録動作が中断されるとき、前記記録イネーブル信号がディセーブルされることが望ましい。
【００２０】
また望ましくは、記録動作の間に、記録される各データセグメントの物理的アドレス及び現在の物理的アドレスに対応して記録される前記データセグメントのデータ成分の数を表す物理的アドレスレーテンシ値を探知するステップ及び前記記録動作が中断されるとき、前記記録動作が中断される当時の前記光学媒体に記録される前記最後のデータセグメントの物理的アドレスを決定するステップをさらに含みうる。
【００２１】
また望ましくは、前記記録動作の中断に続いて、前記最後のデータセグメントの物理的アドレスに関連した前記物理的アドレスレーテンシ値に基づいて、前記光学媒体にデータセグメントの記録を再開するステップをさらに含みうる。
【発明の効果】
【００２２】
本発明による光学媒体にデータを記録するための装置及び方法によれば、光学媒体上にデータを記録する途中にデータ記録が非正常的に中断される場合に、光学媒体上の物理的アドレスの使用が難しい場合にも、無理なしにデータ記録を再開しうる。特に、ＤＶＤ−ＲやＤＶＤ＋Ｒなどの追記型光学媒体の場合、正確な記録中断地点を捕捉でき、その地点からデータ再記録を進めうる。
【発明を実施するための最良の形態】
【００２３】
本発明と本発明の動作性の利点及び本発明の実施によって達成される目的を十分に理解するためには、本発明の望ましい実施形態を例示する添付図面及び添付図面に記載された内容を参照しなければならない。
【００２４】
以下、添付された図面を参照して、本発明の望ましい実施形態を説明することによって、本発明を詳細に説明する。各図面に付された同一参照符号は、同一部材を表す。
光学媒体で、データは、隣接する螺旋状のトラックに沿って記録される。前記トラックのセグメントは、トラックに沿って対応する物理的特性によって確認され、かつ判別される。物理的特性は、螺旋状の中心領域上でトラックの第１特性で始まる物理的アドレスによって参照され、外側の方向から螺旋状に沿って分配される物理的特性によって向上する。
【００２５】
複数のデータ成分が媒体上の物理的特性間のトラックに記録されうる。したがって、複数のデータ成分が各物理的アドレスに割当てられる。光学媒体プロトコルによって、データセクタにデータが配列される。データセクタは、一般的に独特のデータＩＤを備え、データフレームに配列される複数のデータ成分がデータＩＤに後続する。データＩＤは、セグメントに保存されるデータに関連した実際アドレスの形態であり、媒体上のデータの物理的な位置ではない。
【００２６】
媒体のタイプ及び媒体プロトコルに左右されて、データセクタ及びフレームの相対的なサイズは、多様でありうる。例えば、ＤＶＤ−ＲＷ媒体は、物理的アドレス当たり１６セクタを備え、ＤＶＤ＋ＲＷ媒体は、各物理的アドレス当たり４つのセクタを備え、ＤＶＤ−ＲＡＭは、物理的アドレス当たり一つのセクタを備える。
【００２７】
通常の光学記録装置で、記録動作の間に記録イネーブル信号が活性化される。非正常的な中断が発生するとき、記録イネーブル信号は、自動的に非活性化される。記録イネーブル信号が非活性化されれば、記録装置は、自動的に現在記録されている物理的アドレスを保存する。現在の物理的アドレスに記録されたデータビットの数を表す物理的遅延値または物理的レーテンシ値また記録装置によって保存される。物理的レーテンシ値は、データ成分が新たな物理的アドレスに記録される時にリセットされ、アドレスに各データ成分が記録されることによって増加する。
【００２８】
通常の媒体記録装置は、保存された物理的アドレス及び保存された物理的遅延値によって記録動作の回復を試みる。このような情報は、記録動作が続くとき、媒体上に再記録開始位置を決定するために使われる。しかし、度々記録動作が非正常的に中断されるとき、媒体は、エラーが発生し、例えば、レーザが物理的特性を経てはずれたとき、物理的アドレスが得られる物理的特性にエラーが発生するか、または物理的特性が破壊される恐れがある。物理的アドレスに対応する媒体上の物理的特性が、このような方式でエラーが発生したとき、一般的な装置の場合、記録動作の回復のために物理的アドレスに全的に依存するため、記録動作の回復は安全に行われ得ない。
【００２９】
本発明は、光学媒体上に記録動作を回復するための正確なシステム及び方法を提供する。このシステム及び方法で、記録動作の間に物理的アドレス及び物理的アドレスレーテンシ値と共に、光学媒体上に記録されるデータに対するデータＩＤ、データＩＤレーテンシ値が記録される。記録動作の間に記録イネーブル信号が非活性化されれば、記録動作の回復地点を決定するために、データＩＤ、データＩＤレーテンシ値及び物理的アドレス及び物理的アドレスレーテンシ値が使われる。データＩＤ、データＩＤレーテンシ値の記録は、追加的な詳細な情報を提供し、それを使用することによって、光学媒体（例えば、“ｓｉｎｇｌｅ−ｗｒｉｔｅ”光学媒体）上に記録動作の非正常的な中断以後、さらに正確で信頼性のある回復動作を進めうる。
【００３０】
図１は、本発明によって、物理的アドレス、データＩＤ、物理的アドレスレーテンシ値及びデータＩＤレーテンシ値の関係を説明するための、光学媒体の記録動作の例を示す図である。図１で、水平軸は、記録動作の間に光学媒体のトラックに記録されるデータを表す。トラックの物理的特性は周期的であり、図示されたように、それぞれ独特の物理的アドレス１１を割り当てる。与えられた物理的アドレス１１に割当てられるトラックセグメントに記録されるデータの各セクタまたはフレームは、それぞれ独特のデータＩＤ １２が割当てられる。各データＩＤ １２に後続してデータ成分、例えば、データビットが記録される。
【００３１】
記録動作の間に、物理的特性が感知されて独特の物理的アドレス１１が割当てられるとき、データセクタまたはフレームは、物理的アドレス１１に記録される。各データセクタまたはフレームは、独特のデータＩＤ １２及び対応するデータを備える。物理的アドレス１１が割当てられるとき、物理的レーテンシ値Δｐが開始値、例えば、０にリセットされる。各データ成分が与えられた物理的アドレス１１に記録されるとき、物理的レーテンシ値Δｐは増加する。物理的レーテンシ値Δｐは、現在の物理的アドレスと出合った後に記録されたデータ成分の数を表す。物理的レーテンシ値Δｐは、光学媒体の回転速度を調べるという仮定下に時間の側面で測定され、またはデータ成分の数をカウントする側面で測定されうる。
【００３２】
それと同時に、新たなデータＩＤ １２，１５で記録される新たなデータセクタまたはフレームの場合、データＩＤレーテンシ値Δｉｄは、開始値、例えば、０にリセットされる。データＩＤレーテンシ値Δｉｄは、現在のデータＩＤ １２，１５に割当てられたデータの記録が開始された後に記録されたデータ成分の数を表す。物理的レーテンシ値Δｐのように、データＩＤレーテンシ値Δｉｄは、光学媒体の回転速度を調べるという仮定下に時間の側面で測定され、またはデータ成分の数をカウントする側面で測定されうる。
【００３３】
図１の例で、データＩＤ １５に割当てられた特定のデータ成分１６を記録するとき１４、記録動作が非正常的に中断される。このとき、記録イネーブル信号が非活性化され、前記データ成分１６の物理的アドレス１１及び物理的レーテンシ値Δｐが記録される。また、本発明の特徴によって、記録イネーブル信号が非活性化され、データＩＤ １５及びデータＩＤレーテンシ値Δｉｄが記録される。
【００３４】
図２は、本発明の第１実施形態によって、記録動作の非正常的な中断、データＩＤとデータＩＤレーテンシ値及びそれを使用した記録動作の再開を説明するための光学媒体記録装置の記録動作のフローチャートである。
ステップ２０１で、非正常的な記録動作が感知される。例えば、記録イネーブル信号が早期非活性化される。ステップ２０２で、データＩＤ値とデータＩＤレーテンシ値とが記録される。
【００３５】
ステップ２０３で、データＩＤ値とデータＩＤレーテンシ値とが、以後データ記録再開動作の間に参照されるために、データＩＤ開始レジスタ及びデータＩＤレーテンシ開始レジスタに複写される。
ステップ２０４で、非正常的に中断されたデータ記録動作を再開するためにデータ記録再開動作が開始される。データ記録再開動作は、データＩＤ開始レジスタ及びデータＩＤレーテンシ開始レジスタに記録された情報による媒体上の位置で記録動作を再開することを試みる。この方式によって、記録動作が中断された正確な物理的位置を判別でき、記録動作は、前記位置で再開されうる。
【００３６】
ステップ２０５で、媒体の再生動作（度々“ｒｅ−ｒｅａｄ”動作と言及される）が媒体の第一の物理的位置で開始されて行われる。現在の再生データのデータＩＤが決定される。ステップ２０６で、現在の再生データのデータＩＤがデータＩＤ開始レジスタに保存された値と同じになるまで、記録されたデータが再生される。同じ場合が発生したとき、再生動作は続き、データＩＤが一致した後に再生されたデータ成分の数がステップ２０７で探知される。
【００３７】
ステップ２０８で、データＩＤが一致した後に再生されたデータ成分の数が、データＩＤレーテンシ開始レジスタに保存された値と同一になるまでカウントされる。同じ場合が発生したとき、記録装置は、記録動作が非正常的に中断された適切な位置を有する。ステップ２０９によって、記録イネーブル信号は、再び活性化され、記録動作を成功的に再開させて記録動作が続く。
【００３８】
図３は、本発明の第１実施形態によって、光学媒体に記録動作を行うための、例えば、図２の記録動作のような光学媒体記録装置のブロック図である。記録装置５００は、記録制御部５０２と、ＤＳＰ（Ｄｉｇｉｔａｌ Ｓｉｇｎａｌ Ｐｒｏｃｅｓｓｏｒ）５０６と、を備える。記録制御部５０２は、ホストコンピュータＨＯＳＴから命令を受信するか、またはそれについての結果を送信する。データは、装置５００のデータバッファとして動作する外部のメモリ部５０７に記録されるか、またはメモリ部５０７から再読出されうる。
【００３９】
データエンコーダ及びレーザドライバを備える記録／再生部５１３は、光学媒体５０１にデータを記録するために、記録制御部５０２によって発生する信号に応答する。記録制御部５０２は、記録イネーブル信号ＷＥＮＡ（または“ｗｒｉｔｅ ｇａｔｅ”信号として言及される）を発生させる記録イネーブル信号制御部５０３を備える。記録イネーブル信号ＷＥＮＡは、データが光学媒体５０１に記録可能であるとき、そして、システムが完全に動作する時に活性化される。言及した形態の非正常動作のような、記録動作が行われる間に非正常動作が発生するとき、記録イネーブル信号ＷＥＮＡは非活性化され、前述したような再開動作が始まる。光学媒体５０１に記録されるデータは、記録イネーブル信号ＷＥＮＡが活性化されるとき、記録制御部５０２からデータラインＷＤＡＴＡを経由して記録／再生部５１３に伝えられる。
【００４０】
記録制御部５０２及びＤＳＰ ５０６とインターフェースする複数のレジスタ５０８は、第１レジスタ５０９、第２レジスタ５１０及びそれに対応するデータＩＤ開始レジスタ５１１及びデータＩＤレーテンシ開始レジスタ５１２を備える。図２の方法で説明したように、第１レジスタ５０９は、記録動作の間に、光学媒体に現在記録されているデータと関連したデータＩＤ値がアップデートされ続ける。
【００４１】
他の例で、データＩＤ値は、データセクタＩＤ値またはデータフレームＩＤ値を表す。データＩＤは、データセグメントに存在するデータを確認する実際アドレスとして動作する。また、第２レジスタ５１０は、記録動作の間に、現在のデータＩＤによって参照される現在のデータグループで、発生した時間または記録されたデータ成分の数を表すデータＩＤレーテンシ値がアップデートされ続ける。
【００４２】
第１レジスタ５０９に保存されるデータＩＤが新たな値にセットされる度に、第２レジスタ５１０に保存されるデータＩＤレーテンシ値は、リセット値（例えば、０）にリセットされる。再生動作の間に、現在のデータＩＤによって判別される現在のデータの記録開始後に発生した時間または記録されたデータ成分の数を反映するために、データＩＤレーテンシ値は、適切に増加する。レジスタは、外部のレジスタ、またはメモリ構成要素、または二者択一の形態を有し、記録制御部５０２またはＤＳＰ ５０６内に存在しうる。
【００４３】
図２のステップ２０１のように、非正常的な記録動作が発生するとき、記録制御部５０２は、記録イネーブル信号ＷＥＮＡを非活性化させる。それと同時に、第１レジスタ５０９に保存されたデータＩＤ値は、データＩＤ開始レジスタ５１１に複写される。また、第２レジスタ５１０に保存されたデータＩＤレーテンシ値は、データＩＤレーテンシ開始レジスタ５１２に複写される（図２のステップ２０３）。データＩＤ開始レジスタ５１１及びデータＩＤレーテンシ開始レジスタ５１２の内容は、以後に記録動作再開過程の間に、記録動作を再開するための電気的媒体上の正確な位置を決定するために、比較器５０５及び記録制御部５０２によって使われる。
【００４４】
非正常的に中断された記録動作（図２のステップ２０４）を回復するために再生動作が相次いで行われ、再生動作の間に、光学媒体から再生されるデータは、データＩＤデコーダ５０４によって処理される。データＩＤデコーダ５０４は、光学媒体５０１から再生されるデータをレビューし、データからデータＩＤ情報をデコードする（図２のステップ２０５）。光学媒体５０１から再生されるデータＩＤ情報は、比較器５０５でデータＩＤ開始レジスタ５１１に保存された値と比較される（図２のステップ２０６）。もし一致すれば、追加的なデータが光学媒体５０１から再生され、再生動作の間に再生されるデータ成分の数を探知またはカウントする（図２のステップ２０７）。
再生動作の間に再生されるデータ成分の数がデータＩＤレーテンシ開始レジスタ５１２  
【００４５】
に保存された値と同じであるとき（図２のステップ２０８）、記録制御部５０２は、記録イネーブル信号ＷＥＮＡを活性化し、記録／再生部５１３は、以前に中断された記録動作を動作が中断された媒体上の正確な位置で再開する（図２のステップ２０９）。
このような方式で記録動作が中断された正確な物理的位置が確認され、最後の有効な記録された位置のデータＩＤ値とデータＩＤレーテンシ値との組合わせに基づいて、その位置で記録動作を再開しうる。
【００４６】
図４Ａ、図４Ｂは、本発明の第２実施形態によって、記録動作の非正常的な中断、データＩＤとデータＩＤレーテンシ値、物理的アドレス及び物理的アドレスレーテンシ値の保存、それを使用した記録動作の再開を説明するための光学媒体記録装置の記録動作のフローチャートである。
【００４７】
ステップ３０１で、例えば、記録イネーブル信号の早期非活性化など、非正常的な記録動作が感知される。ステップ３０２で、データＩＤ値とデータＩＤレーテンシ値とが記録される。ステップ３０３で、物理的アドレス値及び物理的アドレスレーテンシ値が記録される。
【００４８】
ステップ３０４で、データＩＤ値とデータＩＤレーテンシ値とは、以後のデータ記録再開動作の間に参照されるために、データＩＤ開始レジスタ及びデータＩＤレーテンシ開始レジスタに複写される。また、物理的アドレス値及び物理的アドレスレーテンシ値は、以後のデータ記録再開動作の間に参照されるために、物理的アドレス開始レジスタ及び物理的アドレスレーテンシ開始レジスタに複写される。
【００４９】
ステップ３０５で、非正常的に中断されたデータ記録動作を回復するために、データ記録再開動作が開始される。データ記録再開動作は、物理的アドレス開始レジスタ、物理的アドレスレーテンシ開始レジスタ、データＩＤ開始レジスタ及びデータＩＤレーテンシ開始レジスタに記録された情報によって、記録動作を前記媒体の中断された地点で再開させる。このような方式によって、記録動作が中断された正確な物理的位置が確認され、記録動作は、最後の有効位置の物理的アドレスと物理的アドレスレーテンシ値との第１組合わせ及び最後の有効位置のデータＩＤ値とデータＩＤレーテンシ値との第２組合わせの二つの独立的なパラメータに基づいて、前記地点で再開されうる。
【００５０】
ステップ３０６で、“ｒｅ−ｒｅａｄ”動作として言及される媒体の再生動作が、例えば、媒体の第一の物理的位置で開始されて行われる。ステップ３０７で、再生動作は、物理的アドレスを有する媒体上の再生データが物理的アドレス開始レジスタに保存された値と同じであるか否かを判断する。もし、同じ値が発見された場合、再生動作が続き、同じ物理的アドレスが発生した後に再生されたデータ成分の数がステップ３０８で探知される。
【００５１】
ステップ３０９で、同じ物理的アドレスが発生した後に再生されたデータ成分の数が、物理的アドレスレーテンシ開始レジスタに保存された値と同じになるまでカウントされる。二つの値が同じであるとき、記録装置は、記録動作が非正常的に中断された地点が適切に調べる。ステップ３１０を参照すれば、記録イネーブル信号は再び活性化され、記録動作が成功的に再開されて行われ続ける。
【００５２】
もし、ステップ３０７で、同じ物理的アドレスが発見されなければ、再生動作は続き、現在再生されるデータのデータＩＤがステップ３１１で決定される。ステップ３１２で、記録されたデータは、現在再生されるデータのデータＩＤがデータＩＤ開始レジスタに保存された値と同じになるまで再生される。二つの値が同じであるとき、再生動作は行われ続け、同じデータＩＤが発生した後に再生されたデータ成分の数がステップ３１３で探知される。ステップ３１４で、同じデータＩＤが発生した後に再生されたデータ成分の数が、データＩＤレーテンシ開始レジスタに保存された値と同じになるまでカウントされる。二つの値が同じであるとき、記録装置は、記録動作が非正常的に中断された地点を適切に調べる。ステップ３１５を参照すれば、記録イネーブル信号は、再び活性化され、記録動作が成功的に再開されて行われ続ける。
【００５３】
図５は、本発明の第２実施形態によって、図４の記録動作のような光学媒体上に記録動作を行うための光学媒体記録装置のブロック図である。記録装置６００は、記録制御部６０２と、ＤＳＰ ５０６と、を備える。記録制御部６０２は、ホストコンピュータＨＯＳＴから命令を受信するか、またはそれについての結果を送信する。データは、装置６００のデータバッファとして動作する外部のメモリ部６０９に記録されるか、またはメモリ部５０７から再読出されうる。
【００５４】
データエンコーダ及びレーザドライバを備える記録／再生部６１９は、光学媒体６０１にデータを記録するために、記録制御部６０２によって発生する信号に応答する。記録制御部６０２は、記録イネーブル信号ＷＥＮＡ（または“ｗｒｉｔｅ ｇａｔｅ”信号として言及される）を発生させる記録イネーブル信号制御部６０３を備える。記録イネーブル信号ＷＥＮＡは、データが光学媒体６０１に記録可能であるとき、そして、システムが完全に動作する時に活性化される。前述した形態の非正常動作のような、記録動作が行われる間に非正常動作が発生するとき、記録イネーブル信号ＷＥＮＡは非活性化され、前述したような再開動作が開始される。光学媒体６０１に記録されるデータは、記録イネーブル信号ＷＥＮＡが活性化されるとき、記録制御部６０２からデータラインＷＤＡＴＡを経由して記録／再生部６１９に伝えられる。
【００５５】
記録制御部６０２及びＤＳＰ ５０６とインターフェースする複数のレジスタ６１０は、第１レジスタ６１１、第２レジスタ６１２、第３レジスタ６１３、第４レジスタ６１４及び物理的アドレス開始レジスタ６１５、物理的アドレスレーテンシ開始レジスタ６１６、データＩＤ開始レジスタ６１７及びデータＩＤレーテンシ開始レジスタ６１８を備える。図４の方法で説明したように、第１レジスタ６１１は、記録動作の間に、光学媒体６０１に現在記録されているデータと関連した物理的アドレス値がアップデートされ続ける。
【００５６】
また、第２レジスタ６１２は、記録動作の間に、現在の物理的アドレスによって参照される現在のデータグループで発生した時間または記録されたデータ成分の数を表す物理的アドレスレーテンシ値がアップデートされ続ける。
【００５７】
第１レジスタ６１１に保存される物理的アドレスが新たな値にセットされる度に、第２レジスタ６１２に保存される物理的アドレスレーテンシ値は、リセット値（例えば、０）にリセットされる。再生動作の間に、現在の物理的アドレスによって判別される現在のデータの記録開始後に発生した時間または記録されたデータ成分の数を反映するために、物理的アドレスレーテンシ値は、適切に増加する。
【００５８】
それと同様に、第３レジスタ６１３は、記録動作の間に、光学媒体６０１に現在記録されているデータと関連した前記データＩＤ値がアップデートされ続ける。他の例で、データＩＤ値は、データセクタＩＤ値またはデータフレームＩＤ値を表す。データＩＤは、データセグメントに存在するデータを確認する実際アドレスとして動作する。また、第４レジスタ６１４は、記録動作の間に、現在のデータＩＤによって参照される現在のデータグループで、発生した時間または記録されたデータ成分の数を表すデータＩＤレーテンシ値がアップデートされ続ける。
【００５９】
第３レジスタ６１３に保存されるデータＩＤが新たな値にセットされる度に、第４レジスタ６１４に保存されるデータＩＤレーテンシ値は、リセット値（例えば、０）にリセットされる。再生動作の間に、現在のデータＩＤによって判別される現在のデータの記録開始後に発生した時間または記録されたデータ成分の数を反映するために、データＩＤレーテンシ値は、適切に増加する。
【００６０】
図４のステップ３０１のように、非正常的な記録動作が発生するとき、記録制御部６０２は、記録イネーブル信号ＷＥＮＡを非活性化させる。それと同時に、第１レジスタ５０９に保存された物理的アドレス値は、物理的アドレス開始レジスタ６１５に複写される。また、第２レジスタ６１２に保存された物理的アドレスレーテンシ値は、物理的アドレスレーテンシ開始レジスタ６１６に複写される。また、第３レジスタ６１３に保存されるデータＩＤ値は、データＩＤ開始レジスタ６１７に複写され、第４レジスタ６１４に保存されるデータＩＤレーテンシ値は、データＩＤレーテンシ開始レジスタ６１８に複写される（図４のステップ３０２、ステップ３０３）。物理的アドレス開始レジスタ６１５、物理的アドレスレーテンシ開始レジスタ６１６、データＩＤ開始レジスタ６１７及びデータＩＤレーテンシ開始レジスタ６１８の内容は、以後に記録動作再開過程の間に、記録動作を再開するための電気的媒体上の正確な位置を決定するために比較器６０７及び記録制御部６０２によって使われる。
【００６１】
非正常的に中断された記録動作（図４のステップ３０５、ステップ３０６）を回復するために再生動作が行われ続け、再生動作の間に、光学媒体６０１から再生されるデータは、物理的アドレスデコーダ６０５及びデータＩＤデコーダ６０６を備えるデータＩＤデコーダ６０４によって処理される。
【００６２】
まず、物理的アドレス開始レジスタ６１５の内容と同じ前記光学媒体６０１上の物理的アドレスから再生データが検出されるか否かを決定するために、再生動作が行われる。このような機能は、再生動作の間に、物理的アドレスデコーダ６０５によってデコーディングされることによって、再生されたデータの物理的アドレスと物理的アドレス開始レジスタ６１５の内容とを比較器６０７で比較することによって行われる。
【００６３】
物理的アドレスで、前記のようなデータが再生可能であると仮定するとき、追加的なデータが媒体６０１から再生され、再生動作の間に再生されるデータ成分の数が探知またはカウントされる（図４のステップ３０８）。再生動作の間に再生されるデータ成分の数が物理的アドレスレーテンシ開始レジスタ６１６に保存された値と同じであるとき（図４のステップ３０９）、記録制御部６０２は、記録イネーブル信号ＷＥＮＡを活性化し、記録／再生部６１９は、以前に終了した記録動作を、動作が中断された媒体上の正確な位置で再開する（図４のステップ３１０）。
【００６４】
物理的アドレス開始レジスタの内容と同じ物理的アドレスで、前記のようなデータが再生されない場合（図４のステップ３０７）、データＩＤデコーダ６０６は、光学媒体６０１から再生されたデータをレビューし、データからデータＩＤ情報をデコードする（図４のステップ３１１）。光学媒体６０１から再生されるデータＩＤ情報は、データＩＤ開始レジスタ６１７に保存された値と比較器６０７で比較される（図４のステップ３１２）。比較結果、同じである場合、追加的なデータが媒体６０１から再生され、再生動作の間に再生されたデータ成分の数が探知またはカウントされる（図４のステップ３１３）。再生動作の間に再生されたデータ成分の数がデータＩＤレーテンシ開始レジスタ６１８に保存された値と同じであるとき、記録制御部６０２は、記録イネーブル信号ＷＥＮＡを活性化し、記録／再生部６１９は、以前に終了した記録動作を、動作が中断された媒体上の正確な位置で再開する（図４のステップ３１０）。
【００６５】
このような方式によって、記録動作が中断された正確な物理的位置が確認され、記録動作は、最後の有効位置の物理的アドレスと物理的アドレスレーテンシ値との第１組合わせ及び最後の有効位置の前記データＩＤ値とデータＩＤレーテンシ値との第２組合わせの二つの独立的なパラメータに基づいて、前記地点で再開されうる。
【００６６】
したがって、記録動作が記録された物理的アドレス及び物理的アドレスレーテンシ値に基づいて回復できない場合、記録動作を回復するための追加的な試みがデータＩＤ及びデータＩＤレーテンシ値に基づいて行われる。“ｓｉｎｇｌｅ ｗｒｉｔｅ”光学媒体が記録動作のための媒体と仮定するとき、データＩＤ及びデータＩＤレーテンシに基づく第２の回復オプションは、物理的アドレス及び物理的アドレスレーテンシに全的に基づく従来の場合より回復の可能性を向上させる。
【００６７】
本発明は、図面に示された一実施形態を参照して説明されたが、それは、例示的なものに過ぎず、当業者ならば、それから多様な変形及び均等な他の実施形態が可能であるということが分かるであろう。したがって、本発明の真の技術的保護範囲は、特許請求の範囲の技術的思想によって決定されなければならない。
【産業上の利用可能性】
【００６８】
本発明は、ＣＤ−Ｒ、ＣＤ−ＲＷ、ＨＤ−ＤＶＤ、ＢＤ−ＤＶＤ、ＤＶＤ−ＲＷ、ＤＶＤ＋ＲＷ及びＤＶＤ−ＲＡＭなどの光学媒体関連の技術分野に適用可能である。
【図面の簡単な説明】
【００６９】
【図１】本発明によって、物理的アドレス、データＩＤ、物理的アドレスレーテンシ値及びデータＩＤレーテンシ値の関係を説明するための、光学媒体の記録動作の例を示す図である。
【図２】本発明の第１実施形態によって、記録動作の非正常的な終了、データＩＤとデータＩＤレーテンシ値及びそれを使用した記録動作の再開を説明するための、光学媒体記録装置の記録動作のフローチャートである。
【図３】本発明の第１実施形態によって、光学媒体に記録動作を行うための光学媒体記録装置のブロック図である。
【図４Ａ】本発明の第２実施形態によって、記録動作の非正常的な終了、データＩＤとデータＩＤレーテンシ値、物理的アドレス及び物理的アドレスレーテンシ値の保存、それを使用した記録動作の再開を説明するための光学媒体記録装置の記録動作のフローチャートである（その１）。
【図４Ｂ】本発明の第２実施形態によって、記録動作の非正常的な終了、データＩＤとデータＩＤレーテンシ値、物理的アドレス及び物理的アドレスレーテンシ値の保存、それを使用した記録動作の再開を説明するための光学媒体記録装置の記録動作のフローチャートである（その２）。
【図５】本発明の第２実施形態によって、光学媒体上に記録動作を行うための光学媒体記録装置のブロック図である。
【符号の説明】
【００７０】
５００    記録装置
５０１    光学媒体
５０２    記録制御部
５０３    記録イネーブル信号制御部
５０４    データＩＤデコーダ
５０５    比較器
５０６    ＤＳＰ
５０７    外部メモリ部
５０８    レジスタ
５０９    第１レジスタ
５１０    第２レジスタ
５１１    データＩＤ開始レジスタ
５１２    データＩＤレーテンシ開始レジスタ
５１３    記録／再生部
【図１】
2006164502.tif 000003
【図２】
2006164502.tif 000004
【図３】
2006164502.tif 000005
【図４Ａ】
2006164502.tif 000006
【図４Ｂ】
2006164502.tif 000007
【図５】
2006164502.tif 000008